(57)【特許請求の範囲】
【請求項１】
ボディと、
このボディに回転自在に装着された回転体とを備えており、
この回転体が、流水を受けて回転するように構成されており、
上記ボディの端部に、軸部が突設されており、
上記回転体が、上記軸部に回転自在に装着されており、
上記軸部が、上記ボディの前後方向中心軸に対し、上から見て傾斜した方向に突設されており、
これにより、この回転体が、その回転時に上記ボディに作用する横向きの力を軽減する姿勢となっているルアー。
【請求項２】
ボディと、
このボディに回転自在に装着された回転体とを備えており、
この回転体が、流水を受けて回転するように構成されており、
上記ボディの端部に、軸部が突設されており、
上記回転体が、上記軸部に回転自在に装着されており、
上記軸部が、上記ボディの前後方向中心軸に対し、上から見て平行な方向であり且つ離間した位置に突設されており、
これにより、この回転体が、その回転時に上記ボディに作用する横向きの力を軽減する姿勢となっているルアー。
【請求項３】
上記回転体が、プロペラから構成されており、
このプロペラが、上記ボディの進行方向前方からの流水により、後方から見て、時計回り又は反時計回りのいずれか一方の回転をするように構成されており、
上記ボディが、背部及び腹部を有しており、
上記ボディが、上に背部が位置し、下に腹部が位置した姿勢において、
上記プロペラが時計回り回転する形状である場合は、平面視で後方から前方を向いて見たとき、上記軸部が、ボディの前後方向中心軸から左方に傾斜しており、
上記プロペラが反時計回り回転する形状である場合は、平面視で後方から前方を向いて見たとき、上記軸部が、ボディの前後方向中心軸から右方に傾斜している請求項１に記載のルアー。
【請求項４】
上記回転体が、プロペラから構成されており、
このプロペラが、上記ボディの進行方向前方からの流水により、後方から見て、時計回り又は反時計回りのいずれか一方の回転をするように構成されており、
上記ボディが、背部及び腹部を有しており、
上記ボディが、上に背部が位置し、下に腹部が位置した姿勢において、
上記プロペラが時計回り回転する形状である場合は、平面視で後方から前方を向いて見たとき、上記軸部が、ボディの前後方向中心軸から左方に変位しており、
上記プロペラが反時計回り回転する形状である場合は、平面視で後方から前方を向いて見たとき、上記軸部が、ボディの前後方向中心軸から右方に変位している請求項２に記載のルアー。
【発明の詳細な説明】
【技術分野】
【０００１】
本発明は、釣りに用いられるルアーに関する。
【背景技術】
【０００２】
近年、ルアーを用いたルアーフィッシングが普及している。ルアーフィッシングによる捕獲対象は、主として小魚を捕食する大型の魚（フィッシュイータ）である。このルアーは、キャストによって空中を飛行し、やがて着水する。ルアーは、ラインが巻かれることによって水中を泳ぐ。フィッシュイータは、このルアーに食いつく。ルアーに取り付けられたフックがフィッシュイータに刺さり、フィッシュイータが釣り上げられる。フィッシュイータの勘違いを誘う水中姿勢及びアクションが達成されるルアーが好ましい。
【０００３】
特開２００１−２０４３０１号公報及び特開２００７−０４９９４５号公報には、プロペラ型の回転体を備えたルアーが開示されている。この回転体は、ルアーのボディの後端部に差し込まれた軸部に、回転自在に装着されている。このルアーは、ラインが引かれたときに、その回転体の回転音、回転体の回転によって生じる水流等により、フィッシュイータの興味を惹きつける。また、ボディが受ける水の抵抗、及び、回転体が受ける水の抵抗により、ボディが不規則に泳動する。このルアーの動きが、フィッシュイータの興味を惹く。
【先行技術文献】
【特許文献】
【０００４】
【特許文献１】特開２００１−２０４３０１号公報
【特許文献２】特開２００７−０４９９４５号公報
【発明の概要】
【発明が解決しようとする課題】
【０００５】
しかし、前述したルアーでは、回転体が受けた水の抵抗により、ボディの直進安定性が阻害されることが多い。このように、その直進が安定しないルアーは、フィッシュイータに警戒心を与えてしまうおそれがある。
【０００６】
本発明の目的は、ボディの直進安定性を維持しつつ、フィッシュイータの興味を惹く泳動が実現されうる回転体付きのルアーの提供にある。
【課題を解決するための手段】
【０００７】
本発明に係るルアーは、
ボディと、
このボディに回転自在に装着された回転体とを備えており、
この回転体が、流水を受けて回転するように構成されており、
この回転体が、その回転時に上記ボディに作用する横向きの力を軽減する姿勢で取り付けられている。
【０００８】
好ましくは、上記ボディの端部に、軸部が突設されており、
上記回転体が、上記軸部に回転自在に装着されており、
上記軸部が、上記ボディの前後方向中心軸から変位した姿勢で突設されている。
【０００９】
好ましくは、上記軸部が、上記ボディの前後方向中心軸に対し、上から見て傾斜した方向に突設されている。
【００１０】
好ましくは、上記軸部が、上記ボディの前後方向中心軸に対し、上から見て平行な方向であり且つ離間した位置に突設されている。
【００１１】
好ましくは、上記回転体が、プロペラから構成されており、
このプロペラが、上記ボディの進行方向前方からの流水により、後方から見て、時計回り又は反時計回りのいずれか一方の回転をするように構成されており、
上記ボディが、背部及び腹部を有しており、
上記ボディが、上に背部が位置し、下に腹部が位置した姿勢において、
上記プロペラが時計回り回転する形状である場合は、平面視で後方から前方を向いて見たとき、上記軸部が、ボディの前後方向中心軸から左方に傾斜しており、
上記プロペラが反時計回り回転する形状である場合は、平面視で後方から前方を向いて見たとき、上記軸部が、ボディの前後方向中心軸から右方に傾斜している。
【００１２】
好ましくは、上記回転体が、プロペラから構成されており、
このプロペラが、上記ボディの進行方向前方からの流水により、後方から見て、時計回り又は反時計回りのいずれか一方の回転をするように構成されており、
上記ボディが、背部及び腹部を有しており、
上記ボディが、上に背部が位置し、下に腹部が位置した姿勢において、
上記プロペラが時計回り回転する形状である場合は、平面視で後方から前方を向いて見たとき、上記軸部が、ボディの前後方向中心軸から左方に変位しており、
上記プロペラが反時計回り回転する形状である場合は、平面視で後方から前方を向いて見たとき、上記軸部が、ボディの前後方向中心軸から右方に変位している。
【発明の効果】
【００１３】
本発明のルアーによれば、ボディの直進安定性を維持しつつ、フィッシュイータの興味を惹く音、水流、泳動が実現されうる。
【図面の簡単な説明】
【００１４】
【図１】図１は、本発明の一実施形態に係るルアーを示す側面図である。
【図２】図２は、図１のルアーの縦断面図である。
【図３】図３は、図１のルアーの平面図である。
【図４】図４は、図１のルアーの組み立て前のボディを示す一部断面平面図である。
【図５】図５は、図１のルアーのプロペラを示す背面図である。
【図６】図６は、本発明の他の実施形態に係るルアーを示す平面図である。
【発明を実施するための形態】
【００１５】
以下、適宜図面が参照されつつ、好ましい実施形態に基づいて本発明が詳細に説明される。
【００１６】
図１に示されたルアー２は、ボディ４、リップ６、回転体用の軸部８、回転体１０、発音板１２ラインアイ１４及びフックアイ１６を備えている。ラインアイ１４にはライン１８が接続される。ラインアイ１４は、平面視で、概ねボディ４の前後方向中心軸ＣＬ（図３）上に位置している。各フックアイ１６にはフック２０が取り付けられる。ボディ４は、ベイトである小魚に類似の外形を有する。ボディ４は、前部のヘッド２２及び後部のテール２４を備えている。図中の左側がヘッド２２側（前方）であり、右側がテール２４側（後方）であり、上側が背２６側であり、下側が腹２８側である。リップ６は、ボディ４のヘッド２２側であって且つ腹部２８側に、下方から前方に傾斜した方向に突設されている。
【００１７】
典型的には、ボディ４は合成樹脂から形成されている。好ましい合成樹脂はＡＢＳ樹脂である。ボディ４は、金属材料又は木質材料から形成されてもよい。ラインアイ１４及びフックアイ１６は、金属線が曲げられることによって形成されている。金属線の典型的な材質はステンレス鋼である。
【００１８】
図２に示されるように、ボディ４は中空である。図３及び図４に示されるように、典型的には、このボディ４は、対称形の左ボディピース４Ｌと右ボディピース４Ｒとが重ね合わされた状態で接合されることにより構成される。図２及び図４に示されるように、ボディ４のテール２４には、軸部８装着用の装着穴３２が形成されている。
【００１９】
図１、図３及び図５に示されるように、本実施形態では、回転体１０として、プロペラ１０が採用されている。プロペラ１０は、金属板から形成されている。金属板の典型的な材質はステンレス鋼である。軸部８は、上記装着穴３２に差し込まれて固定されている。軸部８は、テール２４の後端部から、後方に向けて突設されている。プロペラ１０は、この軸部８に、緩く嵌合することによって回転自在にされている。プロペラ１０は、この軸部８の長手方向に沿った方向にも移動自在である。軸部８の後端部には、リング部８ａが形成されている。このリング部８ａには、発音板１２が可動状態でぶら下げられている。この発音板１２は、回転するプロペラ１０と衝突して、フィッシュイーターの興味を惹く音を発する。発音板１２は、金属板から形成されている。金属板の典型的な材質はステンレス鋼である。必要に応じ、発音板１２に代えてフック等が装着されうる。軸部８における、プロペラ１０の後方には、環状のスペーサー３０が嵌合されている。このスペーサー３０は、プロペラ１０が、リング部８ａに干渉することによってスムーズな回転が阻害されることを回避するためのものである。
【００２０】
図５（ａ）に示されるように、プロペラ１０は、一対の羽部１０ａ、中央部１０ｂ及び挿通孔１０ｃを備えている。一対の羽部１０ａは、中央部１０ｂに対して点対称の形状を呈している。挿通孔１０ｃは、中央部１０ｂの中心に形成されている。その結果、中央部１０ｂが円輪状を呈している。この挿通孔１０ｃに、軸部８が挿通されている。水中や水面上で、ライン１８が引かれてルアー２が前方に進行すると、水がルアー２に対して相対的に後方に流れる。これを水流と呼ぶ。水中や水面上で、ルアー２が前方に進行すると、プロペラ１０には水流からの抵抗力が加わる。プロペラ１０は、水流からの抵抗力によって軸部８回りに回転させられる。プロペラ１０の回転音、プロペラ１０の回転によって生じる水流等により、フィッシュイータの興味を惹きつける。プロペラ１０が受ける水の抵抗により、ボディ４が不規則に泳動する。このルアー２の動きが、フィッシュイータの興味を惹く。
【００２１】
図３及び図５に示されるように、このプロペラ１０は、後方向きの水流を受けて、時計回りに回転するように形成されている。具体的には、各羽根１０ａが、中央部１０ｂの中心軸に垂直な面から、中央部１０ｂの半径線回りに僅かに傾斜した面を有している。各羽根１０ａのこの形状により、プロペラ１０が受ける後方に向かう水流からの力が、中央部１０ｂの中心軸に沿った後ろ向きの成分と、時計回りに回転させる成分とを含むことになる。かかる構成には限定されない。後方向きの水流によって反時計回りに回転するプロペラも採用されうる。図５（ａ）には、プロペラ１０が、ルアー２の後方から見た図（背面図）として示されている。ここでは、プロペラ１０の回転方向は、後方から見たときの方向とされる。
【００２２】
前述したように、プロペラ付きのルアーでは、プロペラが受けた水の抵抗により、ボディの直進安定性が阻害されることがある。図５を参照しつつ、プロペラが受ける水の抵抗について考察する。ルアー２は、背部２６を上にして腹部２８を下にした姿勢で泳動する。ボディ４の腹部２８に、各種アイ１４、１６、フック２０等が装着されているため、かかる姿勢をとりやすい。この姿勢で水面を泳動するルアーでは、図５（ａ）に示されるように、往々にして、プロペラ１０の下半分が水中Ｗに浸かり、プロペラ１０の上半分は空中に露出した状態となる。この場合、プロペラ１０の下半分に水流からの抵抗力（反力）を受け、プロペラ１０の上半分には抵抗力は受けない。この場合、プロペラ１０の下半分が受ける抵抗力としては、概ねボディ４の中心軸ＣＬに沿った後ろ向きの成分と、軸部８を中心とした時計回りの成分とが多くを占める。この抵抗力の時計回り成分は、プロペラ１０を時計回りに回転させる。この抵抗力の時計回り成分は、さらに、プロペラを横方向に押す作用をも含む。この横方向は、本実施形態では、図５（ａ）に示すように、平面視で後ろから見て左向きである。この左向き抵抗力成分は、ルアー２に対し、ラインアイ１４を中心として平面視で時計回りに回転させようとするモーメントを加える。上記左向き抵抗力成分（平面視時計回りモーメント）は、図５（ｂ）に示すように、羽根１０ａが下方を向いたときに最大となり、横（左方又は右方）を向いたときに最小となる。図５（ｂ）における抵抗力の左向き成分の大きさを示す曲線は正確ではないが、羽根１０ａの位置と抵抗力の大きさとの関係を表現するには十分である。図５（ｂ）に示すように、羽根１０ａが下方を向いたときと横を向いたときとは、プロペラ１０の約９０°の回転角差がある。このプロペラ１０への左向き抵抗力は、軸部８を介して、ルアー２のテール２４を左向きに押す力となりうる。テール２４を左に押されると、ボディ４は、平面視で時計回りに回転しようとする。本発明者らは、以上に説明された事象が、ルアー２の直進安定性を阻害する一因となっている可能性があると考えた。すなわち、ルアー２は、テール２４を繰り返し左に押されることにより、直進安定性が阻害されるおそれがある。一方、テール２４は、プロペラ１０への抵抗力により、上下にも繰り返して押される。しかし、このテール２４の上下動は、ルアー２の直進安定性を阻害するおそれは少ない。
【００２３】
このルアー２は、上記考察に基づき、テール２４を左に押す力を相殺する構成を有している。以下の通りである。まず、図４に示されるように、軸部８用の装着穴３２が、平面視で、前方に向かって右方に傾斜した方向に形成されている。この装着穴３２に後方から軸部８が挿入されている。その結果、図３に示されるように、このルアー２では、その軸部８が、平面視で後ろから見ると、ボディ４の前後方向中心軸ＣＬから左方に傾斜した方向に突設されている。プロペラ１０の中央部１０ｂの中心位置が、ボディ４の前後方向中心軸ＣＬから左方にずれている。すなわち、プロペラ１０が、後から見て、ボディ４の前後方向中心軸ＣＬから左方にずれた位置にある。その結果、プロペラ１０に対する、ボディ４の前後方向中心軸ＣＬに沿った後ろ向きの抵抗力成分が、ルアー２に対し、ラインアイ１４を中心とした平面視反時計回りに回転させるモーメントを加える。換言すれば、上記抵抗力の後ろ向き成分によるモーメントが、テール２４を右方向に押す。このモーメントにより、前述したテール２４を左に押す抵抗力、すなわち、ボディ４を時計回りに回転させようとするモーメント、が相殺されうる。ルアーの直進安定性を阻害する要因は、他にも存在する可能性はある。しかし、この実施形態に係るルアー２を、実際に水面近くで引いたとき、その直進泳動は安定することが証明された。このルアー２では、図３に平面視で示される、ボディ４の前後方向中心軸ＣＬに対する軸部８の左方への傾斜角θは、２°以上６°以下の範囲で設定された。
【００２４】
本実施形態では、図３に示されるように、平面視でルアー２をテール２４側からヘッド２２側を向いて見れば、軸部８が左方に傾斜させられ、プロペラ１０の中心がボディ４の前後方向中心軸ＣＬより左方に位置している。これは、プロペラ１０が、後ろから見たときに時計回りに回転するように構成されているからである。プロペラが、後ろから見たときに反時計回りに回転する形状をしている場合、軸部は、ボディの中心軸ＣＬから右方に傾斜するように突設される。そして、プロペラ１０は、ボディの前後方向中心軸ＣＬより右方に位置させられる。前述したとおり、ここでいう「左」及び「右」は、ルアー２がその背部２６を上にし、その腹部２８を下にした姿勢を前提に、後ろから見た場合、及び、平面視で後方であるテール２４側から前方であるヘッド２２側を向いて見た場合の向きである。
【００２５】
図６には、他のルアー４２が示されている。このルアー４２の、図１に示されたルアー２との相違点は、その軸部４６の装着位置及び装着方向である。このルアー４２のその他の構成は、図１に示されたルアー２の構成と実質的に同一である。この同一構成の部材には、図１のルアー２におけると同一符号を付して、その説明を省略する。
【００２６】
このルアー４２においても、図１のルアー２のプロペラ１０と同一構成のプロペラ１０が用いられている。すなわち、このルアー４２のテール４８には、後方向きの水流を受けて時計回りに回転するように形成されたプロペラ１０が装着されている。従って、水面近くで泳動するこのルアー４２のテール４８には、水流から左向きの抵抗力成分が加わる。この抵抗力成分により、ルアー４２に対し、ラインアイ１４を中心として、平面視で時計回りのモーメントが加えられる。そこで、このルアー４２にも、この水流からの時計回りモーメントを相殺しうる構成が備えられている。以下の通りである。
【００２７】
図６に示されるように、このルアー４２の軸部４６は、平面視でボディ４４の前後方向中心軸ＣＬに平行であり、且つ、テール４８側からヘッド５０側を見たとき、この中心軸ＣＬから左方に離間している。その結果、プロペラ１０は、後から見て、ボディ４４の前後方向中心軸ＣＬから左方にずれた位置にある。
【００２８】
このルアー４２では、プロペラ１０に対する、ボディ４４の前後方向中心軸ＣＬに沿った後ろ向きの抵抗力成分が、テール４８を右方向に押す。換言すれば、上記抵抗力の後ろ向き成分が、ルアー４２に対し、ラインアイ１４を中心として、平面視で反時計回りに回転させようとするモーメントを加える。このモーメントにより、前述したテール４８を左に押す抵抗力、すなわち、ボディ４４を時計回りに回転させようとするモーメント、が相殺されうる。
【００２９】
上記ルアー４２とは異なり、そのプロペラが、後方向きの水流を受けて、後ろから見たときの反時計回りに回転する形状をしている場合には、その軸部の装着位置は、上記ルアー４２の軸部４６の位置とは逆になる。すなわち、この軸部は、ボディの前後方向中心軸ＣＬに平行ではあるが、平面視でテール側からヘッド側を見たとき、上記中心軸ＣＬから右方に離間した位置とされる。
【産業上の利用可能性】
【００３０】
本発明に係るルアーは、湖沼、池、ダム、川、海等の種々のフィールドでの釣りに適している。
【符号の説明】
【００３１】
２、４２・・・ルアー
４、４４・・・ボディ
６・・・リップ
８、４６・・・軸部
１０・・・プロペラ
１２・・・発音板
１４・・・ラインアイ
１６・・・フックアイ
１８・・・ライン
２０・・・フック
２２、５０・・・ヘッド
２４、４８・・・テール
２６・・・背部
２８・・・腹部
３０・・・スペーサー
３２・・・（軸部用の）装着穴
ＣＬ・・・ボディの前後方向中心軸
【図１】
0006656851.tif 000002
【図２】
0006656851.tif 000003
【図３】
0006656851.tif 000004
【図４】
0006656851.tif 000005
【図５】
0006656851.tif 000006
【図６】
0006656851.tif 000007